(57)【要約】【課題】画像形成動作の開始を早めることができる画像形成装置を提供する。【解決手段】画像形成装置は、像担持体（１０８）に複数の色の画像を形成する画像形成手段（１０１）と、画像形成装置を節電状態に移行させる制御と、節電状態から復帰させる制御を行う制御手段（６０４）と、を備えており、制御手段（６０４）は、節電状態からの復帰時には前準備動作を行い、画像形成を開始する前に画像形成準備動作を行い、画像形成指示の受信により節電状態から復帰する際に、前準備動作と画像形成準備動作で重複する処理があると、重複する処理を前準備動作中に纏めて行う。【選択図】図７
2019045795.tif 000002
【特許請求の範囲】
【請求項１】
画像形成装置であって、
像担持体に複数の色の画像を形成する画像形成手段と、
前記画像形成装置を節電状態に移行させる制御と、前記節電状態から復帰させる制御を行う制御手段と、
を備えており、
前記制御手段は、前記節電状態からの復帰時には前準備動作を行い、画像形成を開始する前に画像形成準備動作を行い、画像形成指示の受信により前記節電状態から復帰する際に、前記前準備動作と前記画像形成準備動作で重複する処理があると、前記重複する処理を前記前準備動作中に纏めて行うことを特徴とする画像形成装置。
【請求項２】
前記制御手段は、前記画像形成準備動作において行う補正制御の実行条件に基づき前記前準備動作と前記画像形成準備動作で前記重複する処理があるか否かを判定することを特徴とする請求項１に記載の画像形成装置。
【請求項３】
前記制御手段は、前記前準備動作において行う補正制御の実行条件に基づき前記前準備動作と前記画像形成準備動作で前記重複する処理があるか否かを判定することを特徴とする請求項１又は２に記載の画像形成装置。
【請求項４】
前記像担持体に形成された補正用画像を検出するセンサをさらに備えており、
前記前準備動作と前記画像形成準備動作での前記重複する処理は、前記補正用画像の検出を行える様に前記センサを制御する処理と、前記補正用画像の検出を行えない様に前記センサを制御する処理とを含むことを特徴とする請求項１から３のいずれか１項に記載の画像形成装置。
【請求項５】
前記センサは、
前記像担持体に向けて光を射出する発光手段と、
前記発光手段が射出した光の前記像担持体での反射光を受光する受光手段と、
開位置において、前記発光手段が射出した光の前記像担持体での反射光を前記受光手段が受光でき、閉位置において、前記発光手段が射出した光の前記像担持体での反射光を前記受光手段が受光できない様にするシャッタと、
を備えており、
前記補正用画像の検出を行える様に前記センサを制御する処理は、前記シャッタを前記閉位置から前記開位置に移動させる処理であり、
前記補正用画像の検出を行えない様に前記センサを制御する処理は、前記シャッタを前記開位置から前記閉位置に移動させる処理であることを特徴とする請求項４に記載の画像形成装置。
【請求項６】
前記制御手段は、前記前準備動作において第１補正制御を行い、前記画像形成準備動作で前記第１補正制御とは異なる第２補正制御を実行する場合、前記前準備動作と前記画像形成準備動作での前記重複する処理があると判定することを特徴とする請求項４又は５に記載の画像形成装置。
【請求項７】
前記制御手段は、前記前準備動作において前記第１補正制御を行い、前記画像形成準備動作で前記第２補正制御を実行する場合、前記補正用画像の検出を行える様に前記センサを制御した後、前記第１補正制御のための第１補正用画像と前記第２補正制御のための第２補正用画像を前記センサに検出させ、前記センサが前記第１補正用画像と前記第２補正用画像を検出した後、前記補正用画像の検出を行えない様に前記センサを制御することを特徴とする請求項６に記載の画像形成装置。
【発明の詳細な説明】
【技術分野】
【０００１】
本発明は、画像形成装置の準備動作に関する。
【背景技術】
【０００２】
特許文献１は、画像形成装置の電源が投入されると、前多回転工程と呼ばれる準備動作を行うことを開示している。この前多回転工程では、例えば、複数の濃度測定用画像を形成し、その濃度を測定する濃度調整処理などが実行される。また、特許文献１は、画像形成装置に画像形成開始の指示が入力されると、前回転工程と呼ばれる準備動作を実行することを開示している。この前回転工程では、カラー画像形成における各色成分の画像のずれを無くすための色ずれ調整処理や、より簡易な濃度調整処理が行われることがある。なお、前多回転工程は、画像形成装置が省電力状態(スリープモード)から復帰する際にも実行されることがある。
【０００３】
また、前多回転工程中に画像形成開始の指示が入力されると、前多回転工程終了後に続けて前回転工程が実行され、前回転工程終了後に画像形成動作が実行される。
【先行技術文献】
【特許文献】
【０００４】
【特許文献１】特開２００８−１４５５２２号公報
【発明の概要】
【発明が解決しようとする課題】
【０００５】
しかしながら、特許文献１の構成のように、前多回転工程中に画像形成開始の指示が入力され、前多回転工程に続けて前回転工程が実行される場合、前多回転工程と前回転工程とで重複する動作があっても、それぞれの工程が独立に実行される。その結果、画像形成動作の開始が遅れてしまう。
【０００６】
本発明は、画像形成動作の開始を早めることができる画像形成装置を提供するものである。
【課題を解決するための手段】
【０００７】
本発明の一態様によると、画像形成装置は、像担持体に複数の色の画像を形成する画像形成手段と、前記画像形成装置を節電状態に移行させる制御と、前記節電状態から復帰させる制御を行う制御手段と、を備えており、前記制御手段は、前記節電状態からの復帰時には前準備動作を行い、画像形成を開始する前に画像形成準備動作を行い、画像形成指示の受信により前記節電状態から復帰する際に、前記前準備動作と前記画像形成準備動作で重複する処理があると、前記重複する処理を前記前準備動作中に纏めて行うことを特徴とする。
【発明の効果】
【０００８】
本発明によると、画像形成動作の開始を早めることができる。
【図面の簡単な説明】
【０００９】
【図１】画像形成装置の断面図。
【図２】画像形成装置のブロック図。
【図３】画像形成装置の操作部の外観図。
【図４】センサユニットの構成図。
【図５】濃度補正制御のフローチャート。
【図６】準備動作における補正制御の実行条件を示す図。
【図７】色ずれ補正制御のフローチャート。
【図８】スリープ復帰時の処理のフローチャート。
【図９】統合準部動作における補正制御のフローチャート。
【図１０】画像形成動作の開始を早めることができることの説明図。
【発明を実施するための形態】
【００１０】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１１】
図１は、本実施形態による画像形成装置の構成図である。なお、説明で使用する図に関し、参照符号の末尾の文字ｙ、ｍ、ｃ、ｋは、対応する部材が形成に係るトナー像の色がイエロー、マゼンタ、シアン、ブラックであることを示している。しかしながら、色を区別する必要が無い場合には、参照符号の末尾の文字を省略した参照符号を使用する。プロセスユニット１０１の感光体１０２は、像担持体であり、画像形成時、図の時計周り方向に回転駆動され、帯電ローラ１０３によって、その表面が一様な電位となる様に帯電される。また、像担持体である中間転写ベルト１０８は、画像形成時、駆動ローラ１２２の回転に従属して、図の反時計周り方向に回転される。露光部１０４は、形成する画像に応じて感光体１０２の表面を露光し、感光体１０２に静電潜像を形成する。現像部１０５は、トナー容器１０６から供給されるトナーを静電潜像に付着させ、これにより感光体１０２にトナー像を形成する。一次転写ローラ１０７は、一次転写バイアスを出力して、感光体１０２のトナー像を中間転写ベルト１０８に転写する。なお、各感光体１０２のトナー像を重ねて中間転写ベルト１０８に転写することでカラー画像を形成することができる。
【００１２】
中間転写ベルト１０８に転写されたトナー像は、中間転写ベルト１０８の回転により駆動ローラ１２２と二次転写ローラ１１０のニップ領域に搬送される。一方、給紙カセット１１３に格納された記録媒体は、各ローラによって搬送路に給紙され、さらに搬送路に沿って駆動ローラ１２２と二次転写ローラ１１０のニップ領域に搬送される。なお、記録媒体がニップ領域に到達するタイミングは、中間転写ベルト１０８のトナー像がニップ領域に到達するタイミングに合わせられる。二次転写ローラ１１０は、二次転写バイアスを出力して、中間転写ベルト１０８のトナー像を記録媒体に転写する。なお、記録媒体に転写されず、中間転写ベルト１０８上に残留したトナーは、クリーニング部１１１により回収される。トナー像が転写された記録媒体は、定着部１１７に搬送される。定着部１１７は、記録媒体を加熱・加圧して、トナー像を記録媒体に定着させる。センサユニット２０３は、中間転写ベルト１０８に形成された、各種補正制御のためのトナー像を含む補正用画像を検出する。
【００１３】
図２は、画像形成装置の制御構成図である。画像形成制御部２１２のＣＰＵ６０４は、ＲＯＭ６０１に格納されたプログラムを実行することで、画像形成装置全体の制御を行う。なお、ＲＯＭ６０１には、画像形成装置の制御に使用する各種データも格納されている。また、ＣＰＵ６０４は、画像形成装置の制御において、ＲＡＭ６０２をワークエリアとして使用する。操作部３３０は、ユーザが画像形成装置を操作し、かつ、ユーザに画像形成装置の状態を表示するためのユーザインタフェースを提供する。ユーザは、操作部３３０を操作して画像形成装置に画像形成の開始を指示することができる。また、画像形成装置は、通信コントローラ２１０を介してホストコンピュータ２１１に接続される。ホストコンピュータ２１１も、画像形成装置に画像形成の開始を指示することができる。モータ６０９は、対応する感光体１０２及び現像部１０５を駆動する。離間モータ６１３は、中間転写ベルト１０８と、各プロセスユニット１０１とを当接・離間させる。定着モータ６１４は、定着部１１７のローラを駆動する。
【００１４】
図３は、操作部３３０の外観を示す図である。操作部３３０は、各種ボタンや表示部から構成されている。電源スイッチ３３７は、画像形成装置１００の電源投入のＯＮ／ＯＦＦを行うスイッチである。なお、画像形成装置１００に電源が投入されていると、ＬＥＤ３３９が、例えば、緑色に点灯する。また、ＬＥＤ３３９は、例えば、画像形成装置１００にエラーが生じていると赤色で点灯する等、ユーザに異常を通知する役割も持つ。節電ボタン３３６は、通常モードの画像形成装置１００をスリープモードへと移行させ、かつ、スリープモードの画像形成装置１００を通常モードに復帰させるボタンである。
【００１５】
テンキー３３３により、ユーザは、コピー枚数やＦＡＸ送信先などの数字を入力することができる。ユーザモードボタン３３４により、ユーザは、画像形成装置１００の各種設定を行うことができる。リセットキー３３２により、ユーザは、テンキー３３３で入力した数値をクリアし、現在選択中のモードをリセットして初期設定に戻すことができる。オペレーションパネル３４１は、ユーザへの情報の提示を行う。なお、オペレーションパネル３４１は、タッチスクリーンであり、ユーザは、オペレーションパネル３４１に表示されたボタン等により設定の入力を行うことができる。ユーザは、スタートボタン３３５を押下することで、オペレーションパネル３４１やテンキー３３３で入力した内容に従った画像形成動作等を開始させることができる。また、ユーザは、ストップボタン３３８を押下することで、スタートボタン３３５によって開始された動作を、動作途中でキャンセルすることができる。また、ユーザは、ヘルプキー３３１を押下することで、オペレーションパネル３４１に、画像形成装置１００の操作等に関する各種説明を表示させることができる。
【００１６】
本実施形態による画像形成装置は、画像形成指示を受信した際に速やかに画像形成動作が実行可能な通常モードと、通常モードよりも消費電力を削減した節電状態で待機するスリープモードと、を有する。ＣＰＵ６０４は、節電ボタン３３６が押下された場合や、所定時間の間、操作が行われないと、画像形成装置をスリープモードに移行させる。スリープモードの間は、画像形成制御部２１２、通信コントローラ２１０、操作部３３０のみに電力の供給が行われ、これにより、消費電力を削減する。スリープモードのときに節電ボタン３３６が押下された場合や、ホストコンピュータ２１１又は操作部３３０から画像形成指示を受信すると、ＣＰＵ６０４は、画像形成装置１００の各部に電力を供給して通常モードへ復帰する。このとき、ＣＰＵ６０４は、節電ボタン３３６の押下によって通常モードへの復帰が行われたか、画像形成指示により通常モードへの復帰が行われたかを示す復帰要因情報をＲＡＭ６０２に格納する。
【００１７】
図４は、センサユニット２０３の構成図である。発光部２０５は、中間転写ベルト１０８に向けて光を射出し、受光部２０６は、中間転写ベルト１０８での反射光を受光し、受光量に応じた信号を画像形成制御部２１２に出力する。画像形成制御部２１２は、受光部２０６が出力する信号に基づき、中間転写ベルト１０８上に形成されたトナー像の位置や、その濃度を検出することができる。トナー像の検出の際、シャッタ２０４は、図４（Ａ）に示す様に、開位置で停止され、これにより、発光部２０５は、中間転写ベルト１０８に向けて光を射出することができる。一方、トナー像の検出を行わない場合、シャッタ２０４は、図４（Ｂ）に示す様に、閉位置で停止される。
【００１８】
画像形成装置１００は、画像形成のために準備動作を行う。例えば、準備動作において、画像形成装置１００は、色ずれ補正制御や濃度補正制御を行う。準備動作は、良好な画像を形成するために必要であるが、準備動作を過剰に実行すると、トナーの消費量が増え、ユーザの待ち時間も増える。よって、準備動作の実行頻度、実行タイミング、準備動作の内容を適切に制御することが必要になる。そこで、本実施形態では、画像形成指示を受信する前に予め実行しておく前準備動作と、画像形成指示を受信した後、画像形成の開始前に行う画像形成準備動作に分ける。以下に、前準備動作と画像形成準備動作のそれぞれについて説明を行う。
【００１９】
前準備動作は、画像形成指示を受信する前に予め実行される。例えば、前準備動作は、電源スイッチ３３７による電源の投入時、節電ボタン３３６によるスリープ復帰時に実行される。前準備動作では、カラー濃度補正を実行する。なお、カラー濃度補正とは、イエロー、マゼンタ、シアン、ブラックの総ての色ついて行う濃度補正制御である。これに対して、ブラックのみについて行う濃度補正制御をモノクロ濃度補正と呼ぶ。なお、スリープ復帰時の前準備動作において、常にカラー濃度補正を実行する必要はなく、例えば、図６（Ａ）に示す様に、スリープ期間の継続期間に応じてカラー濃度補正を実行する構成とすることもできる。図６（Ａ）の条件では、スリープ期間が４時間以上であると前準備動作でカラー濃度補正を実行するが、スリープ期間が４時間未満であると前準備動作でカラー濃度補正を実行しない。カラー濃度補正では、総ての色のトナー像を中間転写ベルト１０８に形成するため、中間転写ベルト１０８と各プロセスユニット１０１とを当接状態にする。そして、前準備動作が終了すると、プロセスユニット１０１ｋのみを中間転写ベルト１０８に当接させ、プロセスユニット１０１ｙ、１０１ｍ、１０１ｃは、中間転写ベルト１０８から離間させる。
【００２０】
図５は、濃度補正制御のフローチャートである。画像形成制御部２１２は、Ｓ１０で、シャッタ２０４を開位置に移動させる。カラー濃度補正の場合、画像形成制御部２１２は、Ｓ１１で、カラーの濃度補正パターン（濃度の補正用画像）を中間転写ベルト１０８に形成する。カラーの濃度補正パターンは、イエロー、マゼンタ、シアン、ブラックそれぞれについて、異なる濃度の複数のトナー像を含むパターンである。Ｓ１２で、画像形成制御部２１２は、濃度補正パターンを、センサユニット２０３で検出する。画像形成制御部２１２は、Ｓ１３で、濃度補正パターンの検出結果に基づき、各色について濃度に関する画像形成条件の設定を行う。その後、画像形成制御部２１２は、Ｓ１４で、シャッタ２０４を閉位置に移動させる。
【００２１】
画像形成準備動作は、操作部３３０又はホストコンピュータ２１１から画像形成指示を受け取ることで行われる。本実施形態では、トナーの消費とユーザの待ち時間を抑えるため、画像形成指示に含まれるジョブ情報と前回の補正制御からの積算印刷枚数に基づき画像形成準備動作で実行する内容を変化させる。例えば、図６（Ｂ）の表によると、前回の濃度補正制御からの積算印刷枚数が５００枚未満、かつ、前回の色ずれ補正からの積算印刷枚数が１０００枚未満であると、画像形成準備動作において補正制御は実行されない。一方、前回の濃度補正からの積算印刷枚数が５００枚以上（第１閾値以上）になると、形成する画像がモノクロであるかカラーであるかに応じてモノクロ濃度補正又はカラー濃度補正を実行する。さらに、前回の色ずれ補正からの積算印刷枚数が１０００枚以上（第２閾値以上）であり、形成する画像がモノクロ画像であるとモノクロ濃度補正を実行する。さらに、前回の色ずれ補補正からの積算印刷枚数が１０００枚以上（第２閾値以上）であり、形成する画像がカラー画像であるとカラー濃度補正及び色ずれ補正制御を実行する。なお、形成する画像がモノクロであるかカラーであるかは、画像形成指示に含まれるジョブ情報により判定できる。ジョブ情報は、画像を形成する記録媒体の枚数を示す情報と、各記録媒体にモノクロ画像を形成するかカラー画像を形成するかを示すカラー種別情報が含まれる。したがって、例えば、少なくとも１つの記録媒体にカラー画像を形成する場合、形成画像種別がカラーであると判定することができる。また、最初の記録媒体にカラー画像を形成する場合、形成画像種別がカラーであると判定し、最初の記録媒体にモノクロ画像を形成する場合、形成画像種別がモノクロであると判定する構成であっても良い。
【００２２】
画像形成準備動作で行うカラー濃度補正は、図５を用いて説明した前準備動作で行うカラー濃度補正と同じである。また、モノクロ濃度補正のフローチャートも図５と同じであるが、Ｓ１１で、モノクロ用の濃度補正パターンを形成し、Ｓ１３で、ブラックの濃度に関する画像形成条件を設定する点でカラー濃度補正と異なる。なお、モノクロ用の濃度補正パターンは、異なる濃度のブラックのトナー像を含むパターンである。
【００２３】
図７は、色ずれ補正制御のフローチャートである。画像形成制御部２１２は、Ｓ２０で、シャッタ２０４を開位置に移動させ、Ｓ２１で、色ずれ補正パターン（色ずれの補正用画像）を中間転写ベルト１０７に形成する。色ずれ補正パターンは、各色の相対的な位置関係を判定できる公知の任意のパターンを使用することができる。Ｓ２２で、画像形成制御部２１２は、色ずれ補正パターンを、センサユニット２０３で検出する。画像形成制御部２１２は、Ｓ２２で、色ずれ補正パターンの検出結果に基づき、任意の基準色に対する他の色の理想的な位置からのズレ量を求め、ズレ量を低減する様に画像形成位置に関する画像形成条件の設定を行う。その後、画像形成制御部２１２は、Ｓ２４で、シャッタ２０４を閉位置に移動させる。
【００２４】
図８は、スリープ復帰時における処理のフローチャートである。画像形成制御部２１２は、Ｓ３０で、画像形成指示の受信によるスリープ復帰であるか否かを判定する。画像形成指示によるスリープ復帰であると、画像形成制御部２１２は、Ｓ３１で、前準備動作として濃度補正制御が必要か否かを、例えば、図６（Ａ）に示す実行条件に基づき判定する。前準備動作として濃度補正制御が必要であると、画像形成制御部２１２は、Ｓ３２で、例えば、図６（Ｂ）の実行条件に基づき画像形成準備動作として、色ずれ補正制御が必要か否かを判定する。画像形成準備動作として、色ずれ補正制御が必要であると、画像形成制御部２１２は、後述する統合準備動作を実行する。一方、Ｓ３２で、色ずれ補正制御が必要ではないと判定されると、画像形成制御部２１２は、Ｓ３４で、濃度補正制御を含む前準備動動作と、補正制御以外に必要な画像形成準備動作を実行する。また、Ｓ３１において、前準備動作として濃度補正制御が必要ではないと、画像形成制御部２１２は、Ｓ３６で、例えば、図６（Ｂ）の実行条件に基づき画像形成準備動作において色ずれ補正制御や濃度補正制御が必要か否かを判定する。色ずれ補正制御や濃度補正制御が必要であると、画像形成制御部２１２は、Ｓ３７で、濃度補正制御以外の前準備動作と、必要な補正制御を含む画像形成準備動作を行う。一方、Ｓ３６で、画像形成準備動作において色ずれ補正制御及び濃度補正制御が必要ではないと、画像形成制御部２１２は、補正制御以外の前準備動作及び画像形成準備動作を行う。なお、補正制御以外の前準備動作及び画像形成準備動作で共通な処理は纏められる。なお、画像形成制御部２１２は、Ｓ３０がＹｅｓの場合、図８の処理の実行後、画像形成指示に含まれるジョブ情報に従い画像を形成する。
【００２５】
なお、Ｓ３０で、スリープ復帰が、画像形成指示の受信によるものでない場合、例えば、節電ボタン３３６の押下によるものである場合、画像形成制御部２１２は、Ｓ３５で、図６（Ａ）に示す実行条件に基づきカラー濃度補正の実行が必要であるか否かを判定する。Ｓ３５で、カラー濃度補正の実行が必要であると判定すると、画像形成制御部２１２は、Ｓ３８でカラー濃度補正を含む前準備動作実行して通常状態に遷移する。一方、Ｓ３５で、カラー濃度補正の実行が不要であると判定すると、画像形成制御部２１２は、濃度補正制御以外の前準備動作を行って通常状態に遷移する。
【００２６】
本実施形態では、画像形成指示の受信によるスリープ復帰の際に、前準備動作の濃度補正制御と、画像形成準備動作の色ずれ補正制御の両方を行う場合には、統合準備動作として、２つの補正制御を統合して行う。図９は、統合準備動作における補正制御のフローチャートである。画像形成制御部２１２は、Ｓ４０で、シャッタ２０４を開位置に移動させる。画像形成制御部２１２は、Ｓ４１で、濃度補正パターン及び色ずれ補正パターンを中間転写ベルト１０７に形成し、Ｓ４２で、濃度補正パターン及び色ずれ補正パターンを、センサユニット２０３で検出する。画像形成制御部２１２は、Ｓ４３で、濃度補正パターン及び色ずれ補正パターンの検出結果に基づき、濃度に関する画像形成条件及び画像の形成位置に関する画像形成条件の設定を行う。その後、画像形成制御部２１２は、Ｓ４４で、シャッタ２０４を閉位置に移動させる。
【００２７】
図１０に示す様に、従来においては、画像形成指示の受信によるスリープ復帰の際、前準備動作をまず実行し、続いて、画像形成準備動作を行っていた。図１０に示す様に、前準備動作において濃度補正制御を行う場合、まず、センサユニット２０３のシャッタ２０４を開位置に移動させ、濃度補正パターンの検出後、シャッタ２０４を閉位置に移動させる。続いて行う画像形成準備動作において、色ずれ補正制御を行う場合にも、まず、センサユニット２０３のシャッタ２０４を開位置に移動させ、色ずれ補正パターンの検出後、シャッタ２０４を閉位置に移動させる。つまり、センサユニット２０３が補正用画像を検出できる様にするシャッタ２０４の開位置への移動と、センサユニット２０３が補正用画像を検出できなくするシャッタ２０４の閉位置への移動が前準備動作と画像形成準備動作で重複して行われる。一方、図９のフローチャートに示す様に、本実施形態では、統合準備動作として、前準備動作の濃度補正制御と画像形成準備動作の色ずれ補正制御を纏めて行うため、センサユニット２０３のシャッタ２０４の開閉は１回となる。つまり、前準備動作と画像形成準備動動作で重複する処理を纏めて行い、重複する処理が個別に行われなくなる。なお、例えば、重複する処理は前準備動作中に纏めて行う構成とすることができる。したがって、従来の様に、図５のフローチャートと図７のフローチャートを個別に実行することと比較して処理時間が短くなる。
【００２８】
なお、図６（Ａ）及び（Ｂ）に示す補正制御の実行条件は例示であり、任意の実行条件を使用することができる。また、本実施形態においては、画像形成準備動作で行う補正制御を、図６（Ｂ）に示す様に、前回、補正制御を実行してからの積算印刷枚数により判定していた。しかしながら、前回、補正制御を実行してからの期間により判定することもできる。
【００２９】
なお、上述した実施形態においては、前準備動作が終了すると、プロセスユニット１０１ｙ、１０１ｍ及び１０１ｃを中間転写ベルト１０８から離間させるものとした。しかしながら、画像形成開始の受信によりスリープ復帰した場合、ジョブ情報によりカラー画像の形成が必要であるか否かを画像形成制御部２１２は判定できる。したがって、カラー画像の形成が必要である場合、総てのプロセスユニット１０１を中間転写ベルト１０８に当接させておく構成とすることもできる。
【００３０】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３１】
１０１：プロセスユニット、２１２：画像形成制御部
【図１】
2019045795.tif 000003
【図２】
2019045795.tif 000004
【図３】
2019045795.tif 000005
【図４】
2019045795.tif 000006
【図５】
2019045795.tif 000007
【図６】
2019045795.tif 000008
【図７】
2019045795.tif 000009
【図８】
2019045795.tif 000010
【図９】
2019045795.tif 000011
【図１０】
2019045795.tif 000012